(57)【特許請求の範囲】
【請求項１】
農薬タンクと連結されたホースを通じて農作物に農薬を散布する農薬散布用ホース案内具において、
当該農薬散布用ホース案内具を農作物栽培地に固定設置するための固定支柱と、
前記固定支柱に結合されて前記ホースの上下離脱を防止するための固定管体と、
前記固定管体に対して回動可能に結合されて、前記ホースの引き作用を案内するための回動案内管とを備える、
農薬散布用ホース案内具。
【請求項２】
前記固定支柱は、所定長さの棒状に形成されており、下端部は針状に形成され、上端側部には多段に形成された複数の固定ピン結合孔であって、当該複数の固定ピン結合孔のいずれかに選択的に固定ピンを挿通することによって、当該固定支柱に結合された前記固定管体が前記固定支柱の上部から離脱されることを防止する複数の固定ピン結合孔を備える、
請求項１に記載の農薬散布用ホース案内具。
【請求項３】
前記固定管体は、下部外周面には回動案内管を支えるためのベース部を備え、上端外周面にはリング状の係止端部をねじ接合するためのねじ接合部を備え、当該固定管体における前記ベース部と前記係止端部との相互間に回動案内管が回動可能に結合される、
請求項１又は２に記載の農薬散布用ホース案内具。
【請求項４】
前記回動案内管の外周面には、前記ホースの滑りを防止するための複数の凹凸部が形成される、
請求項１から３のいずれか一項に記載の農薬散布用ホース案内具。
【発明の詳細な説明】
【技術分野】
【０００１】
本発明は農薬散布用ホース案内具に関し、さらに詳しくは、農作物に農薬を散布するために農薬タンクと連結されたホースを引いて農薬散布作業をする間に、簡単にホースを引っ張るように案内し、同時に、ホースによって農作物が損傷されることを防止しながら、一人でも安定的且つ簡便に農薬を散布することができるようにした農薬散布用ホース案内具に関する。
【背景技術】
【０００２】
一般的に、農薬散布器は農薬タンクにホースが連結され、ホースはホースドラムに巻かれ、ホースの前端は農薬を噴射するための噴射ノズルが備えられ、このような農薬散布器を利用して広面積に栽培される農作物に農薬を散布する時には、溝や畝間などからなる農作物の間の通路を歩き回りながらホースを引っ張ってホース先端に備えられた噴射ノズルを通じて農作物に農薬を散布する。
【０００３】
従来には、このような農薬散布器を利用して農薬を散布するために、農薬タンクは所定位置に固設された状態で、農薬散布者が農作物の間の通路を歩き回りながらホースを長く垂らす形態で引っ張って農薬散布作業をする時、少なくとも２人以上の作業者が必要となり、一人では農薬を散布することが困難であり、これは農薬散布者の他に別途の補助作業者によってホースを容易に引っ張ることができるように案内し、同時に、ホースに農作物が触れて損傷されないようにホース方向を案内しなければならないため、これによる費用の負担が加重され、作業生産性が大きく低下する問題点があった。
【発明の概要】
【発明が解決しようとする課題】
【０００４】
以下、本発明の好ましい実施形態を添付図面を参照して詳しく説明すれば以下の通りである。本発明を説明するにあたって、係わる公知機能或いは構成に対する具体的な説明が本発明の要旨を曖昧にする虞があると判断される場合、その詳細な説明は省略する。
【０００５】
本発明は農薬散布器を利用して広い面積に栽培される農作物に農薬を散歩する時、溝や畝間などからなる農作物の間の通路を歩き回りながら、ホース４０を長く垂らす形態で引っ張って、ホース先端に備えられた噴射ノズル４５を通じて農作物に農薬を散布する時、ホース４０の引っ張り作業が容易で、ホースが農作物の間の移動通路から離脱されないように案内するための農薬散歩用ホース案内具である。
【０００６】
本発明のホース案内具Ａは、農作物の栽培地に固設するための固定支柱１０と、前記固定支柱１０に結合されて、ホース４０の上下離脱を防止するための固定管体２０と、前記固定管体２０内に空回転するように結合されて、ホース４０の引き作用を案内するための回動案内管３０とで構成されたことを特徴とする。
【０００７】
前記固定支柱１０は、所定長さの棒状に形成され、農作物の栽培地の地面に容易に打ち込まれることができるように、下端部が針状に形成され、上端側部は固定管体２０が結合された高さの位置で固定ピン１４によって上部に離脱されないで固定状態を維持できるようにする固定ピン結合孔１２が多段に形成されて、その結合孔１２に固定ピン１４を選択的に結合することができる。
【０００８】
前記固定管体２０は、下部外周面に回動案内管３０を支えることができるベース部２２が一体に形成され、上端外周面はねじ結合部２４が形成されて、リング状の係止端部２６がねじ結合で固定され、前記ベース部２２と係止端部２６との間の外周面に回動案内管３０が結合されるように構成され、前記ベース部２２は固定管体２０が地面に密着されるようにする支持機能を同時に行う。
【０００９】
前記回動案内管３０は、ベース部２２と係止端部２６との間に空回転するように結合されており、外周面にホース４０の滑りを防止するための複数の凹凸部３２が形成されて、回動案内管３０に当接した状態で引き作用が行われるホース４０が凹凸部３２に密着される構成によって回動案内管３０の回動作用が容易になる。
【００１０】
また、前記ホース４０は農薬タンク５０と連結されるとともに、ホースドラム６０に巻かれている状態に備えられて、ホース４０を長く垂らした形態で引っ張って、ホース先端に備えられた噴射ノズル４５を通じて農薬を散歩することができる。
【図面の簡単な説明】
【００１１】
【図１】本発明のホース案内具を示した斜視図である。
【図２】本発明のホース案内具を示した分解斜視図である。
【図３】本発明のホース案内具を示した前面図である。
【図４】本発明のホース案内具を示した断面図である。
【図５】本発明のホース案内具が設置された状態の前面例示図である。
【図６】本発明のホース案内具による使用状態を示した例示図である。
【発明を実施するための形態】
【００１２】
前記のように構成された本発明の農薬散歩用ホース案内具による実施形態を添付図面によって詳しく説明する。
【００１３】
本発明によるホース案内具Ａは複数備えられて使われるもので、農作物に農薬を散布する直前に農作物栽培地の移動通路の一側に固定支柱１０をそれぞれ固設し、その固定支柱１０に固定管体２０と回動案内管３０をそれぞれ結合した構成からなる複数のホース案内具Ａによって農薬を散布するためのホース４０を案内することができる。
【００１４】
即ち、図６に示すように、農作物の一側に溝をなす移動通路の一側にホース案内具Ａをそれぞれ設置した後、農薬タンク５０に連結され、ホースドラム６０に巻かれているホース４０をホース案内具Ａの回動案内管３０に当接するようにした状態で、ホースを引っ張って、移動通路を歩き回りながら農薬を散布すると、ホース４０は空回転する回動案内管３０によって容易に引っ張られることができ、同時に、ホース４０が移動通路で離脱されないようにして、農作物が損傷されることを防止する。
【００１５】
この時、ホース４０は固定管体２０のベース部２２と係止端部２６との間に位置した回動案内管３０によって引き作用が行われるので、ホース４０が回動案内管３０の上部に離脱されることを防止し、且つ固定管体２０のベース部２２は地面に当接した形態にで置かれると、ホース４０が地面に垂れた形態になってもホース４０を引けば自然に回動案内管３０に当接するようになるので、ホースの引き作用が円滑に行われる。
【００１６】
また、前記農薬の散布の時に、通常、一つの移動通路を戻りながら農薬を散布する形態であるので、回動案内管３０を経って長く垂らされた状態で引かれたホース４０を移動通路の通り過ぎた方向に戻すとホースは戻した部分を除いた他の部分は一直線になって農作物を損傷しなくなり、これは図６の実施形態のように、何れか一方のみにホース案内具Ａを設置して使用しても農作物を損傷することなく、ホースを引っ張ることができる。
【００１７】
そして前記ホース案内具Ａは農作物栽培地の特性によって、任意的に設置位置を多様に設定して固定した後、ホース４０の引き作用を案内することができることは勿論で、農作物の農薬の散布が完了された後、ホース案内具Ａを固設した状態で次の農薬の散布の時に使用するか、ホース案内具Ａを撤去して再使用することができる。
【００１８】
以上で、本発明は前記実施形態を参考して説明したが、本発明の技術思想の範囲内で多様な変形実施が可能であることは勿論である。
【産業上の利用可能性】
【００１９】
本発明は、農薬散歩用ホース案内具を提案し、農作物栽培地の移動通路の一側に固設されて、ホースの引っ張り作業を容易にするとともに、引っ張り状態のホースが移動通路から離脱されないように案内することができるようにすることによって、一人でも農薬散歩者が農作物の間の通路を歩き回りながらホースを長く垂らした形態で引っ張って、簡便に農薬散歩作業をすることができ、農作物の損傷を防止することができるようにした農薬散歩用ホース案内具を提供することにある。
【００２０】
このような本発明は、農薬タンクと連結されたホースを引っ張って、農作物に農薬散歩作業をする間に、農作物栽培地の一側にそれぞれ設置されるホース案内具によってホースが容易に引っ張られるようにし、ホースによって農作物が損傷されることを防止し、且つ、一人でも安定的且つ簡便に農薬を散歩することができるので、作用生産性を大きく向上させることができ、ホース案内具を簡単に固設することができるという効果を奏する。
【符号の説明】
【００２１】
Ａ：ホース案内具
１０：固定支柱
１２：結合孔  
１４：固定ピン
２０：固定管体  
２２：ベース部
２４：ねじ結合部  
２６：係止端部
３０：回動案内管  
３２：凹凸部
４０：ホース  
４５：噴射ノズル
５０：農薬タンク  
６０：ホースドラム
【図１】
0005408755.tif 000002
【図２】
0005408755.tif 000003
【図３】
0005408755.tif 000004
【図４】
0005408755.tif 000005
【図５】
0005408755.tif 000006
【図６】
0005408755.tif 000007